(57)【要約】【課題】室温を所定の範囲に保つことができると共に、電力の省力化を図ることのできる空気調和装置を提供する。【解決手段】室外機及び室内機を備え、冷房運転及び暖房運転を行うことのできる空気調和装置において、所望する室温の上限値Ｔ１及び下限値Ｔ１１を設定することにより、室温が上限値Ｔ１を超える前に自動的に冷房運転を行う一方、室温が下限値Ｔ１１を超える前に自動的に暖房運転を行う外出保全機能を備える。【選択図】図３
2007170686.tif 000002
【特許請求の範囲】
【請求項１】
室外機及び室内機を備え、冷房運転及び暖房運転を行うことのできる空気調和装置において、
所望する室温の上限値及び下限値を設定可能に構成され、室温が上限値を超える前に自動的に冷房運転を行う一方、室温が下限値を超える前に自動的に暖房運転を行う外出保全機能を備えたことを特徴とする空気調和装置。
【請求項２】
外出保全機能が、リモコンによって設定可能になっていることを特徴とする請求項１に記載の空気調和装置。
【請求項３】
外出保全機能の制御に使用される室内温度は、前記室内機に取り付けられた温度センサによって検出される室内機温度と、前記リモコンに取り付けられた温度センサで検出されるリモコン温度とのいずれかを選択可能になっていることを特徴とする請求項１または請求項２に記載の空気調和装置。
【請求項４】
前記室内温度は、室内機温度とリモコン温度のいずれかサーモＯＮし易い方の温度が選択可能になっていることを特徴とする請求項３に記載の空気調和装置。
【発明の詳細な説明】
【技術分野】
【０００１】
本発明は、所定の温度に室温を保つことができる空気調和装置に関する。
【背景技術】
【０００２】
従来、室内を所望する温度にするためには、空気調和装置を常時運転させておく必要があった。例えば、夏季の冷房運転時に室温を２８度にするためには、２８度または２８度に近似する室温になるまで空気調和装置をサーモＯＮして室内温度を下げ、ある下限の温度になった場合にサーモＯＦＦする。一方、冬季の暖房運転時に室温を２０度にするためには、２０度または２０度に近似する室温になるまで空気調和装置をサーモＯＮして室内温度を上げ、ある上限の温度に成った場合にサーモＯＦＦする。
【発明の開示】
【発明が解決しようとする課題】
【０００３】
上述の運転は、室内で作業する人に対して快適な作業環境を保つ場合には有用な機能である。しかしながら、例えば、人が外出中や退社後に部屋をある一定の室温に保っておきたい場合、例えば、コンピュータ室などで作業者が退社したあとでは、上述の運転を行うことは過剰であり、電力を過剰に消費することになる。一方、上述のコンピュータ室で空気調和装置を停止させておくことは、過度な温度変化が生じた場合、機器の運転に異常が生じる場合がある。
【０００４】
本発明は、上述した事情に鑑みてなされたものであり、室温を所定の範囲に保つことができると共に、電力の省力化を図ることのできる空気調和装置を提供することを目的とする。
【課題を解決するための手段】
【０００５】
本発明では、室外機及び室内機を備え、冷房運転及び暖房運転を行うことのできる空気調和装置において、所望する室温の上限値及び下限値を設定することにより、室温が上限値を超える前に自動的に冷房運転を行う一方、室温が下限値を超える前に自動的に暖房運転を行う外出保全機能を備えたことを特徴とする。
この構成によれば、室温が上限値又は下限値に近くなったときのみ、サーモＯＮされるので、空気調和装置の通常運転時のようにサーモＯＮ／ＯＦＦを頻繁に繰り返して行うことがない。
【０００６】
また、外出保全機能を、リモコンによって設定可能にすることもできる。
この構成によれば、利用者が外出保全モードに切り替えることを容易にすることができる。
【０００７】
さらに、外出保全機能の制御に使用される室内温度は、前記室内機に取り付けられた温度センサによって検出される室内機温度と、前記リモコンに取り付けられた温度センサで検出されるリモコン温度とのいずれかを選択可能にすることができる。
この構成によれば、室内機側とリモコン側とで検出される室温に差が生じる場合において、都合の良い方の室温を利用して外出保全機能の制御を行うことができる。
【０００８】
さらにまた、前記室内温度は、室内機温度とリモコン温度のいずれかサーモＯＮし易い方の温度が選択可能にしてもよい。
この構成によれば、室内機側とリモコン側とで検出された室温に差が生じた場合において、どちらかの温度が室温の上限値または下限値の近くに達したときに運転させるようにすることができる。
【発明の効果】
【０００９】
本発明によれば、冷房運転及び暖房運転を行うことのできるので、上限値を超える前に冷房運転を行う一方、下限値を超える前に暖房運転を行うことにより、室温を上限値と下限値との間の温度範囲に保つことができる。また、自動的に冷房運転又は暖房運転に切り替えることにより、上限値と下限値との間の室温の時には、空気調和装置がサーモＯＮ／ＯＦＦを行うことがない。そのため、サーもＯＮ／ＯＦＦを繰り返すことにより発生する電力をなくすことができ、空気調和装置の省力化を図ることができる。
また、前記外出保全機能を、リモコンによって設定可能にしているので、利用者が外出保全モードに切り替えることが容易である。これにより、空気調和装置の利便性を向上させることができる。
【００１０】
さらに、外出保全機能の制御に使用される室内温度は、前記室内機に取り付けられた温度センサによって検出される室内機温度と、前記リモコンに取り付けられた温度センサで検出されるリモコン温度とのいずれかを選択可能にすることにより、都合の良い方の室温を利用することができる。これにより、例えば、外出保全機能に使用する室温としてリモコン温度の方を選択し、このリモコンをコンピュータの近くに配置しておくことにより、コンピュータの周辺の温度をより精度良く検出して、コンピュータの周辺を所定の室温の範囲内にしておくことができる。
さらにまた、前記室内温度は、室内機温度とリモコン温度のいずれかサーモＯＮし易い方の温度が選択されることにより、どちらか温度が室温の上限値または下限値の近くに達したときに外出保全機能に基づく運転が行われるので、検知されたどちらか一方の室温が高くなったときであっても、より安全側に制御運転がなされるようにすることができる。
【発明を実施するための最良の形態】
【００１１】
以下、本発明の実施の形態に係る空気調和装置について、図面を参照しながら説明する。図１は、本発明に係る空気調和装置の冷媒回路図である。
空気調和装置３０は、圧縮機２、水冷式の室外熱交換器３及び室外膨張弁２７を備えた室外ユニット１と、室内熱交換器６ａ及び室内膨張弁１８ａを備えた室内ユニット５ａと、室内熱交換器６ｂ及び室内膨張弁１８ｂを備えた室内ユニット５ｂと、室内熱交換器６ｃ及び室内膨張弁１８ｃを備えた室内ユニット５ｃとを有して構成されている。
【００１２】
これらの室外ユニット１と室内ユニット５ａ、５ｂ、５ｃとは、ユニット間配管１０により接続されており、空気調和装置３０は、室内ユニット５ａ、５ｂ、５ｃを同時に冷房運転もしくは暖房運転可能とし、または、これらの冷房運転と暖房運転とを混在して運転することができる。
【００１３】
室外ユニット１では、室外熱交換器３の一端が、圧縮機２の吐出管７と吸込管８とに、それぞれ切換弁９ａ、９ｂを介して択一に分岐して接続されている。また、吸込管８にアキュムレータ４が配設されている。
ユニット間配管１０は、高圧ガス管１１、低圧ガス管１２及び液管１３を備えてなる。高圧ガス管１１が吐出管７に接続され、低圧ガス管１２が吸込管８に接続される。液管１３は、室外膨張弁２７を介して室外熱交換器３の他端に接続されている。
室内ユニット５ａ、５ｂ、５ｃのそれぞれの室内熱交換器６ａ、６ｂ、６ｃは、それらの他端が、室内膨張弁１８ａを配設した液分岐管１９ａ、室内膨張弁１８ｂを配設した液分岐管１９ｂ、室内膨張弁１８ｃを配設した液分岐管１９ｃを介して液管１３にそれぞれ接続されている。
【００１４】
室内ユニット５ａの室内熱交換器６ａは、その一端が、高圧ガス分岐管１４ａを介して高圧ガス管１１に接続されるとともに、低圧ガス分岐管１５ａを介して低圧ガス管１２に接続されている。室内ユニット５ｂの室内熱交換器６ｂは、その一端が、高圧ガス分岐管１４ｂを介して高圧ガス管１１に接続されるとともに、低圧ガス分岐管１５ｂを介して低圧ガス管１２に接続されている。更に、室内ユニット５ｃの室内熱交換器６ｃは、その一端が、高圧ガス分岐管１４ｃを介して高圧ガス管１１に接続されるとともに、低圧ガス分岐管１５ｃを介して低圧ガス管１２に接続されている。
高圧ガス分岐管１４ａ、１４ｂ、１４ｃのそれぞれには、第１開閉弁（第１電磁開閉弁）１６ａ、１６ｂ、１６ｃが配設されている。また、低圧ガス分岐管１５ａ、１５ｂ、１５ｃのそれぞれに、第２開閉弁（第２電磁開閉弁）１７ａ、１７ｂ、１７ｃが配設されている。
【００１５】
低圧ガス分岐管１５ａには、第２開閉弁１７ａをバイパスして、第一バイパス管２１ａ及び第二バイパス弁２４ａが並列接続される。低圧ガス分岐管１５ｂには、第２開閉弁１７ｂをバイパスして、第一バイパス管２１ｂ及び第二バイパス弁２４ｂが並列接続される。更に低圧ガス分岐管１５ｃには、第２開閉弁１７ｃをバイパスして、第一バイパス管２１ｃ及び第二バイパス弁２４ｃが並列接続される。
【００１６】
第一バイパス管２１ａ、２１ｂ、２１ｃのそれぞれに、第３開閉弁（第３電磁開閉弁）２２ａ及びキャピラリチューブ２３ａが、第３開閉弁（第３電磁開閉弁）２２ｂ及びキャピラリチューブ２３ｂが、第３開閉弁（第３電磁開閉弁）２２ｃ及びキャピラリチューブ２３ｃがそれぞれ配設される。また、第二バイパス管２４ａ、２４ｂ、２４ｃのそれぞれに、第４開閉弁２５ａ及びオリフィス２６ａが、第４開閉弁２５ｂ及びオリフィス２６ｂが、第４開閉弁２５ｃ及びオリフィス２６ｃがそれぞれ配設される。尚、図１中の符号２０ａ、２０ｂ、２０ｃは電磁弁キットである。
【００１７】
次に運転動作を説明する。
全室内ユニット５ａ、５ｂ、５ｃを同時に冷房する場合は、高圧ガス管１１が休止状態におかれる。この場合、室外熱交換器３の一方の切換弁９ａを開くとともに他方の切換弁９ｂを閉じ、且つ電磁弁キット２０ａ、２０ｂ、２０ｃの第１開閉弁１６ａ、１６ｂ、１６ｃを閉じるとともに、第２開閉弁１７ａ、１７ｂ、１７ｃと第３開閉弁２２ａ、２２ｂ、２２ｃと第４開閉弁２５ａ、２５ｂ、２５ｃを開く。これにより、圧縮機２から吐出された冷媒は、吐出管７、切換弁９ａ、室外熱交換器３へと順次流れ、この室外熱交換器３で凝縮液化した後、液管１３と液分岐管１９ａ、１９ｂ、１９ｃを経て各室ユニット５ａ、５ｂ、５ｃの室内膨張弁１８ａ、１８ｂ、１８ｃに分配され、ここで減圧される。しかる後、冷媒は、各室内熱交換器６ａ、６ｂ、６ｃで蒸発気化した後、それぞれ第２開閉弁１７ａ、１７ｂ、１７ｃと第３開閉弁２２ａ、２２ｂ、２２ｃと第４開閉弁２５ａ、２５ｂ、２５ｃとを並流した後、低圧ガス管１２、吸込管８、アキュムレータ４を順次経て圧縮機２に吸入される。このように、蒸発器として作用する各室内熱交換器６ａ、６ｂ、６ｃで全室内ユニット５ａ、５ｂ、５ｃが同時に冷房される。
【００１８】
また、全室内ユニット５ａ、５ｂ、５ｃを同時に暖房する場合は、低圧ガス管１２が休止状態におかれる。この場合、室外熱交換器３の一方の切換弁９ａを閉じるとともに他方の切換弁９ｂを開き、且つ電磁弁キット２０ａ、２０ｂ、２０ｃの第１開閉弁１６ａ、１６ｂ、１６ｃを開くとともに、第２開閉弁１７ａ、１７ｂ、１７ｃと第３開閉弁２２ａ、２２ｂ、２２ｃと第４開閉弁２５ａ、２５ｂ、２５ｃとを閉じる。これにより、圧縮機２から吐出された冷媒は、吐出管７、高圧ガス管１１を順次経て高圧ガス分岐管１４ａ、１４ｂ、１４ｃに分配された後、第１開閉弁１６ａ、１６ｂ、１６ｃ、室内熱交換器６ａ、６ｂ、６ｃへと流れ、ここでそれぞれ凝縮液化した後、各室内膨張弁１８ａ、１８ｂ、１８ｃで減圧され、液分岐管１９ａ、１９ｂ、１９ｃを経て液管１３で合流される。しかる後、室外熱交換器３で蒸発気化した後、切換弁９ｂ、吸込管８、アキュムレータ４を順次経て圧縮機２に吸入される。このように凝縮器として作用する各室内熱交換器６ａ、６ｂ、６ｃで、全室内ユニット５ａ、５ｂ、５ｃが同時に暖房される。
【００１９】
他方、同時に、例えば室内ユニット５ａ及び５ｃを冷房し、室内ユニット５ｂを暖房する場合は、全ての冷媒管１１、１２、１３が使用される。この場合、室外熱交換器３の一方の切換弁９ａを開くとともに他方の切換弁９ｂを閉じ、且つ、冷房する室内ユニット５ａ、５ｃの電磁弁キット２０ａ、２０ｃにおける第１開閉弁１６ａ、１６ｃを閉じるとともに、第２開閉弁１７ａ、１７ｃと第３開閉弁２２ａ、２２ｃと第４開閉弁２５ａ、２５ｃを開き、且つ暖房する室内ユニット５ｂの電磁弁キット２０ｂにおける第１開閉弁１６ｂを開くとともに、第２開閉弁１７ｂと第３開閉弁２２ｂと第４開閉弁２５ｂを閉じる。すると、圧縮機２から吐出された冷媒の一部が吐出管７、切換弁９ａを順次経て室外熱交換器３に流れるとともに、残りの冷媒が高圧ガス管１１を経て暖房する室内ユニット５ｂの電磁弁キット２０ｂにおける第１開閉弁１６ｂ、室内熱交換器６ｂへと流れ、この室内熱交換器６ｂの室外熱交換器３で凝縮液化される。
【００２０】
そして、これら熱交換器６ｂ、室外熱交換器３で凝縮液化された冷媒は、液管１３を経て室内ユニット５ａ、５ｃの室内膨張弁１８ａ、１８ｃで減圧された後、それぞれの室内熱交換器６ａ、６ｃで蒸発気化される。しかる後、冷媒は、第２開閉弁１７ａ、１７ｃと第３開閉弁２２ａ、２２ｂ、２２ｃと第４開閉弁２５ａ、２５ｂ、２５ｃを並流して低圧ガス管１２で合流され、吸込管８、アキュムレータ４を順次経て圧縮機２に吸入される。このように、凝縮器として作用する室内熱交換器６ｂで室内ユニット５ｂが暖房され、蒸発器として作用する他の室内熱交換器６ａ、６ｃで室内ユニット５ａ、５ｃがそれぞれ冷房される。
【００２１】
図２は、本発明の実施の形態に係る空気調和装置のリモコン表示部を示す図である。本発明に係る空気調和装置は、外出保全機能を備えている。この外出保全機能とは、利用者が室温の上限値及び下限値を空気調和装置３０に設定しておき、室温が上限値を超えそうになったときに自動的に冷房運転させる一方、室温が下限値を下回りそうになったときに自動的に暖房運転させる機能をいう。この機能は、空気調和装置３０のリモコン５０等を操作することにより、外出保全機能のＯＮ／ＯＦＦ、室温の上限値及び下限値を設定することができるようになっている。なお、このリモコン５０は、各室内機と通信線で接続されていてもよく、無線で信号を送信するものであってもよい。
【００２２】
リモコン５０には、図２に示すように、上側部分に位置する液晶表示部５１と、この液晶表示部５１の右下部に位置する電源ボタン５２と、この電源ボタン５２の下側に各種設定ボタンとが配置されている。主な各種設定ボタンとしては、外出保全機能のＯＮ／ＯＦＦを設定するための外出保全設定ボタン５３、モード切替ボタン５４、セットボタン５５、設定温度変更ボタン５６、設定データ切替ボタン５７、点検ボタン５８などが設けられている。また、リモコン５０には、室温を検出するための図示しない温度センサが取り付けられている。
【００２３】
リモコン５０を用いて外出保全機能を設定する場合には、外出保全設定ボタン５３を押すことにより行われる。外出保全機能が設定されている場合には、液晶表示部５１に外出保全が設定されていることを示す図形が表示される。また、空気調和装置３０が外出保全機能によって運転されている場合には、上述の図形が１秒間隔で点滅して表示される。他方、外出保全機能の設定を解除する場合には、外出保全設定ボタン５３を再び押すことにより行われる。
リモコン５０を用いて外出保全機能による室温の上限値及び下限値を設定する場合には、最初に、運転停止中にモード切替ボタン５４とセットボタン５５とを同時に２秒間だけ長押しして設定画面に移行する。液晶表示部５１には、設定温度の上限値が点滅して表示され、設定温度変更ボタン５６の上又は下を押すことにより設定温度を任意に選択する。上限値は、セットボタン５５を押すことにより設定される。その後、設定温度の下限値が液晶表示部５１に点滅して表示され、同様に設定温度を任意に選択・セットする。
【００２４】
図３は、外出保全機能の説明図である。図３では、縦方向（上下方向）において室温を示し、横方向（左右方向）において経過時間を示す。また、図２の上側には、図２の左右方向に延びる線によって、利用者がリモコン等で設定する外出保全上限温度Ｔ１と、この外出保全上限温度Ｔ１よりも１度低く設定される冷房運転開始温度Ｔ２と、この冷房運転開始温度Ｔ２よりも１度低く設定される冷房運転停止温度Ｔ３とが示されている。他方、図２の下側には、図２の左右方向に延びる線によって、利用者がリモコン等で設定する外出保全下限温度Ｔ１１と、この外出保全上限温度Ｔ１１よりも１度高く設定される暖房運転開始温度Ｔ１２と、この暖房運転開始温度Ｔ１２よりも１度高く設定される暖房運転停止温度Ｔ１３とが示されている。
【００２５】
次に、外出保全機能をＯＮにした時の室温と空気調和装置の運転との関係について図３を用いて説明する。
（１）室温が外出保全上限温度Ｔ１と外出保全下限温度Ｔ１１との間にある場合
通常の冷房運転時において室温が温度Ｔ１とＴ１１との間にある時には、空気調和装置３０は温度Ｔ１に近似する温度になるように冷房運転を開始する一方、通常の暖房運転時においては、空気調和装置３０は温度Ｔ１１に近似する温度になるまで暖房運転を開始することになる。これに対し、外出保全機能をＯＮにした状態では、室温が温度Ｔ１とＴ１１との間にある場合には、以下の（２），（３）の場合を除いて冷房運転または暖房運転は行われない。
【００２６】
（２）室温が外出保全上限温度Ｔ１を超えそうになった場合
この場合、空気調和装置３０は、温度Ｔ２で冷房運転を開始する。これにより、室温Ａが温度Ｔ１に到達する前に室内温度を下げるようにする。また、冷房運転によって室温Ａが温度Ｔ３にまで下がった場合には、冷房運転を停止する。
（３）室温が外出保全下限温度Ｔ１１を下回りそうになった場合
この場合、空気調和装置３０は、温度Ｔ１２で暖房運転を開始する。これにより、室温Ｂが温度Ｔ１１に到達する前に室内温度を上げるようにする。また、暖房運転によって室温Ｂが温度Ｔ１３にまで上がった場合には、暖房運転を停止する。
【００２７】
次に、本発明の実施の形態に係る空気調和装置の外出保全機能の制御方法について、図４を用いて説明する。図４は、外出保全機能を用いた運転の制御方法を示すフローチャートである。
この制御では、最初に、リモコン５０等によって外出保全機能が設定されているかを判断し（Ｓ０１）、外出保全機能が設定されている場合には、空気調和装置３０が運転状態であるか否かを判断する（Ｓ０２）。運転中である場合には、さらに、Ｓ０２での運転が外出保全機能に基づく運転であるか否かを判断し（Ｓ０３）、外出保全機能に基づく運転である場合には、外出保全機能に基づく運転の停止判断を行う（Ｓ０４）。この停止判断は、上述した温度Ｔ３および温度Ｔ１３の閾値を超えたか否かによって行われ、閾値を超えている場合には、外出保全機能に基づく運転の停止処理を行い（Ｓ０５）、本制御による処理を終了する。一方、閾値を超えていない場合には、運転を継続し、本制御による処理を終了する。
【００２８】
上記Ｓ０１の判断において、例えば外出保全機能に基づく運転中に利用者が外出保全機能を解除した場合には、外出保全機能に基づく運転がされているか否かの判断を行い（Ｓ０６）、外出保全機能に基づく運転がされている場合には、速やかに運転の停止処理を行い（Ｓ０５）、外出保全機能に基づく運転がされていない場合には、本制御における処理を終了する。
【００２９】
一方、上記Ｓ０２の判断において、空気調和装置３０が運転中でない場合、この停止状態が外出保全機能に基づいて停止されている状態か否かを判断する（Ｓ０７）。この停止状態が外出保全機能に基づくものでない場合には、外出保全機能に基づく運転の実施の判断を行う（Ｓ０８）。この運転の実施の判断は、上述した温度Ｔ２および温度Ｔ１２の閾値を超えたか否かによって行われ、閾値を超えている場合には、外出保全機能に基づく運転の実施処理を行い（Ｓ０９）、本制御による処理を終了する。一方、閾値を超えていない場合には、運転を継続し、本制御による処理を終了する。また、上記Ｓ０７の判断において、停止状態が外出保全機能に基づいて運転されている場合には、外出保全機能に基づく運転の停止処理を行い（Ｓ１０）、本制御による処理を終了する。
さらに、上記Ｓ０３の判断において、外出保全機能に基づく運転でない場合には、運転を継続し、本制御による処理を終了する。
【００３０】
次に、外出保全機能を設定したときの室温の決定方法について、図５を用いて説明する。図５は、室温を決定する手順を示すフローチャートである。
外出保全機能で使用する室温には、リモコン５０に取り付けられた温度センサによって検出したリモコン温度ＴＬと、室内機を制御するために設けられている温度センサによって検出した室内機温度ＴＳとがある。そして、空気調和装置３０は、これらの温度のうちから、温度ＴＳを用いる場合（条件０１）、温度ＴＬを用いる場合（条件０２）、及び温度ＴＳと温度ＴＬのうちで空気調和装置３０がサーモＯＮし易い方の温度を用いる場合（条件００）のいずれかを選択可能になっている。なお、工場出荷時には、設定条件を記憶する不揮発性メモリに、上述の条件００が書き込まれており、常時書き換えが可能になっている。
【００３１】
この制御では、最初に不揮発性メモリに書き込まれた設定条件を判断する（Ｓ２１）。温度ＴＳを使用する条件０１が書き込まれている場合には、無条件で温度ＴＳを使用し（Ｓ２２）、温度ＴＬを使用する条件０２が書き込まれている場合には、無条件で温度ＴＬを使用する（Ｓ２３）。これに対し、条件０３が書き込まれている場合には、外出保全機能を動作させるときの運転モードを判断する（Ｓ２４）。この運転モードが、暖房運転又は自動暖房運転の場合には、温度ＴＳが温度ＴＬよりも大きいか否かを判断し（Ｓ２５）、ＴＳ＞ＴＬの場合には、室内機温度ＴＳを使用し（Ｓ２２）、それ以外の場合にはリモコン温度ＴＬを使用する（Ｓ２３）。一方、Ｓ２４の判断において、運転モードが暖房運転又は自動暖房運転以外の場合には、温度ＴＳが温度ＴＬよりも大きいか否かを判断し（Ｓ２６）、ＴＳ＞ＴＬの場合には、リモコン温度ＴＬを使用し（Ｓ２３）、それ以外の場合には室内温度ＴＳを使用する（Ｓ２２）。
【００３２】
本発明の実施の形態に係る空気調和装置によれば、所望する室温の上限値Ｔ１及び下限値Ｔ１１を設定することにより、室温が上限値Ｔ１を超える前に自動的に冷房運転を行う一方、室温が下限値Ｔ１１を超える前に自動的に暖房運転を行う外出保全機能を備えているので、上限値を超える前に冷房運転を行う一方、下限値を超える前に暖房運転を行うことにより、室温を上限値と下限値との間の温度範囲に保つことができる。また、自動的に冷房運転又は暖房運転に切り替えることにより、上限値Ｔ１と下限値Ｔ１１との間の室温の時には、空気調和装置がサーモＯＮ／ＯＦＦを行うことがない。そのため、サーもＯＮ／ＯＦＦを繰り返すことにより発生する電力をなくすことができ、空気調和装置の省力化を図ることができる。
【００３３】
また、外出保全機能を、リモコン５０によって設定可能にしているので、利用者が外出保全モードに切り替えることが容易である。
さらに、外出保全機能の制御に使用される室内温度は、室内機に取り付けられた温度センサによって検出される室内機温度ＴＳと、リモコン５０に取り付けられた温度センサで検出されるリモコン温度ＴＬとのいずれかを選択可能にすることにより、都合の良い方の室温を利用することができる。
さらにまた、室内温度は、室内機温度ＴＳとリモコン温度ＴＬのいずれかサーモＯＮし易い方の温度が選択することができるので、どちらか温度が室温の上限値Ｔ１または下限値Ｔ１１の近くに達したときに外出保全機能に基づく運転が行われるので、検知されたどちらか一方の室温が高くなったときであっても、より安全側に制御運転がなされるようにすることができる。
【００３４】
以上、本発明を実施するための最良の形態について述べたが、本発明は既述の実施形態に限定されるものではなく、本発明の技術思想に基づいて各種の変形および変更が可能である。
例えば、本発明の実施の形態では、外出保全上限温度Ｔ１と冷房運転開始温度Ｔ２との差を１度としたが、例えば、室温の急激な変化が予想される場合には、このＴ１とＴ２との差を１度以上（例えば２度）にしてもよい。また、これらの温度差を自由に設定することができるようにしてもよい。同様に、本実施の形態では、外出保全上限温度Ｔ１と冷房運転停止温度Ｔ３との差を２度としたが、２度以上にしてもよく、この温度差を自由に設定することができるようにしてもよい。これにより、予測される室温の上昇速度に合わせて、Ｔ２，Ｔ３の値を調整することができ、使用環境に合わせた使用が可能となる。
同様に、外出保全下限温度Ｔ１１、暖房運転開始温度Ｔ１２、暖房運転停止温度Ｔ１３の温度差についても、自由に設定することができる。
【図面の簡単な説明】
【００３５】
【図１】本発明の実施の形態に係る空気調和装置の冷媒回路図である。
【図２】本発明の実施の形態に係る空気調和装置に使用するリモコン表示部を示す正面図である。
【図３】本発明の実施の形態に係る空気調和装置で起動される外出保全機能の運転を説明する概要図である。
【図４】外出保全機能に基づく運転の制御方法を示すフローチャートである。
【図５】外出保全機能を設定したときの室温の決定手順の制御方法を示すフローチャートである。
【符号の説明】
【００３６】
１  室外ユニット
２  圧縮機
３  室外熱交換器
５ａ、５ｂ、５ｃ  室内ユニット
６ａ、６ｂ、６ｃ  室内熱交換器
１０  ユニット間配管
１１  高圧ガス管
１２  低圧ガス管
１３  液管
１４ａ、１４ｂ、１４ｃ  高圧ガス分岐管
１５ａ、１５ｂ、１５ｃ  低圧ガス分岐管
１６ａ、１６ｂ、１６ｃ  第１開閉弁
１７ａ、１７ｂ、１７ｃ  第２開閉弁
２２ａ、２２ｂ、２２ｃ  第３開閉弁
２５ａ、２５ｂ、２５ｃ  第４開閉弁
１８ａ、１８ｂ、１８ｃ  室内膨張弁
３０  空気調和装置
５０  リモコン
５１  液晶表示部
５２  電源ボタン
５３  外出保全設定ボタン
５４  モード切替ボタン
５５  セットボタン
５６  設定温度変更ボタン
５７  設定データ切替ボタン
５８  点検ボタン
Ｔ１  外出保全上限温度
Ｔ２  冷房運転開始温度
Ｔ３  冷房運転停止温度
Ｔ１１  外出保全下限温度
Ｔ１２  暖房運転開始温度
Ｔ１３  暖房運転停止温度
Ａ，Ｂ  室温
【図１】
2007170686.tif 000003
【図２】
2007170686.tif 000004
【図３】
2007170686.tif 000005
【図４】
2007170686.tif 000006
【図５】
2007170686.tif 000007